(57)【特許請求の範囲】
【請求項１】
試料流出路を備えた複数の試料供給槽と、
試料供給槽から試料流出路を介して流出される試料を収容し、その収容した試料を擬似移動床式クロマト分離装置に供給し、その収容している試料の量が、その試料供給槽から供給される試料の量に応じて変動する試料量管理槽と、
該試料量管理槽内の試料の量を検出する試料量検出手段と、
前記複数の試料流出路の内の１つの試料流出路だけが前記試料量管理槽に対して開放状態となり他の試料流出路はいずれも前記試料量管理槽に対して閉鎖状態となるように流路の開閉状態を実現する試料流出路開閉手段と、
前記試料量検出手段から出力される検出信号に基づいて、前記試料供給槽が実質的に空になったと判断されたときに、その試料供給槽に設けられた前記試料流出路に介装された前記試料流通路開閉手段を作動させてその試料流通路を閉鎖状態にすると同時に、他の前記試料流通路を開状態となるように前記試料流出路開閉手段を制御する制御手段と
を有することを特徴とする擬似移動床式クロマトグラフィー用試料供給装置。
【請求項２】
前記試料供給槽は、その個数が２である請求項１に記載の擬似移動床式クロマトグラフィー用試料供給装置。
【請求項３】
前記試料量管理槽は、静圧的作用により、その収容している試料の量が、その試料供給槽から供給される試料の量に応じて変動する請求項１又は２に記載の擬似移動床式クロマトグラフィー用試料供給装置。
【請求項４】
前記試料量管理槽及び前記試料量管理槽は、これらの内部空間を連通させて、これらの内部空間内の圧力を等しくする均圧管を有する請求項３に記載の擬似移動床式クロマトグラフィー用試料供給装置。
【請求項５】
前記試料量検出手段は、液面位置を検出する液位計である請求項１〜４のいずれか１項に記載の擬似移動床式クロマトグラフィー用試料供給装置。
【発明の詳細な説明】
【０００１】
【発明の属する技術分野】
この発明は、擬似移動床式クロマトグラフィー用試料供給装置に関し、さらに詳しくは、厳密な原料ロットの履歴管理が可能であり、また気相の混入のない擬似移動床式クロマトグラフィー用試料供給装置に関する。
【０００２】
【従来の技術】
近年においては、原薬又は重要医薬中間体の製造において大型クロマトグラフィーによる分離技術を応用する例が急増している。特に、光学分割を大型クロマトグラフィーにより効率的に行う方法として、連続生産及び大量生産が可能なクロマトグラフィー法である擬似移動床法が普及しつつある。
【０００３】
また、原薬又は重要医薬中間体等の化学物質の製造においては、ＧＭＰ（Good Manufacturing Practice）に基づいた厳しい製造管理が求められる。ＧＭＰにおいては、ロットごとの製造履歴が明確にされることが要求される。その要求に応えるためには、ロットごとの使用原料が明確にされる必要があるので、前記のような化学物質は通常バッチプロセスで製造される。
【０００４】
したがって、擬似移動床法によりこれらの化学物質を製造するときにも、これらの化学物質についてＧＭＰ管理が要求される場合には、ＧＭＰに基づき厳格に原料ロットの使用履歴を管理することが必要であるので、原料の調製はバッチ式で行う必要がある。
【０００５】
バッチ式により調製された複数の試料液を連続的に擬似移動床に供給する方式としては、試料液を調製する溶解槽、調製された試料液をホールドして仕込むためのホールド槽及び擬似移動床を配管により直列に接続して試料液の供給を行う方式（以下「直列式」という）と、試料液を調製する溶解槽を２基用意して、そのうちの１基の溶解槽から擬似移動床に試料液を供給し、その供給をしている間に他の１基の溶解槽で次に供給する試料液の調製を行って、これら２基の溶解槽を順次切り換えながら試料液の供給を行う方式（以下「並列式」という）との２方式が考えられる。
【０００６】
しかし、上記いずれの方式によっても、前記溶解槽からその溶解槽が空になるまで試料液の供給を継続することは困難である。なぜなら、前記溶解槽が空になるまで試料液の供給を行うと、気相が配管を通って擬似移動床内に混入する危険性が高くなるからである。擬似移動床内に気相が混入すると、擬似移動床内の圧力バランスが不安定になって、擬似移動床による安定した分離操作を行うことが困難になる。このため、擬似移動床の運転においては、擬似移動床への気相の混入は一切許容することができない。
【０００７】
したがって、前述の従来技術においては、擬似移動床へ気相が混入しないようにするために、擬似移動床への配管に気相が混入するおそれのない範囲で、できるだけ少ない試料液の量を溶解槽内に設定し、その溶解槽内の試料液がその量に達したときに、直列式の場合には、溶解槽からホールド槽への試料液の移液を行い、並列式の場合には、溶解槽の切り換えを行うことにより試料液の連続供給を行っていた。
【０００８】
しかし、この方法では、前回調製した試料液がまだ溶解槽内に残っている状態で、その溶解槽で次の試料液の調製を行うことになるので、その溶解槽で前回調製された試料液が次の試料液に混入することを避けることができず、ロット管理が困難になるという欠点があった。
【０００９】
【発明が解決しようとする課題】
この発明は、従来の擬似移動床式クロマトグラフィー用試料供給装置における前記の欠点を解消することを目的とする。すなわち、この発明の目的は、気相の混入がないように、また複数の試料が混入し合うことによる試料の汚染の問題が生じないように連続的に試料を擬似移動床式分離装置に供給することのできる擬似移動床式クロマトグラフィー用試料供給装置を提供することである。
【００１０】
【課題を解決するための手段】
前記目的を解決するためのこの発明は、試料流出路を備えた複数の試料供給槽と、試料供給槽から試料流出路を介して流出される試料を収容し、その収容した試料を擬似移動床式クロマト分離装置に供給し、その収容している試料の量が、その試料供給槽から供給される試料の量に応じて変動する試料量管理槽と、該試料量管理槽内の試料の量を検出する試料量検出手段と、前記複数の試料流出路の内の１つの試料流出路だけが前記試料量管理槽に対して開放状態となり他の試料流出路はいずれも前記試料量管理槽に対して閉鎖状態となるように流路の開閉状態を実現する試料流出路開閉手段と、前記試料量検出手段から出力される検出信号に基づいて、前記試料供給槽が実質的に空になったと判断されたときに、その試料供給槽に設けられた前記試料流出路に介装された前記試料流通路開閉手段を作動させてその試料流通路を閉鎖状態にすると同時に、他の前記試料流通路を開放状態にするように前記試料流出路開閉手段を制御する制御手段とを有することを特徴とする擬似移動床式クロマトグラフィー用試料供給装置であり、
前記擬似移動床式クロマトグラフィー用試料供給装置の好ましい態様として、
前記試料供給槽は、その個数が２であり、
前記試料量管理槽は、静圧的作用により、その収容している試料の量が、その試料供給槽から供給される試料の量に応じて変動し、
前記試料量管理槽及び前記試料量管理槽は、これらの内部空間を連通させて、これらの内部空間内の圧力を等しくする均圧管を有し、
前記試料量検出手段は、液面位置を検出する液位計である。
【００１１】
【発明の実施の形態】
この発明に係る擬似移動床式クロマトグラフィー用試料供給装置の一具体例である擬似移動床式クロマトグラフィー用試料供給装置１を図１に示す。
【００１２】
擬似移動床式クロマトグラフィー用試料供給装置１は、試料供給槽２、試料供給槽３、試料流出路４、試料流出路５、バルブ６、バルブ７、試料量管理槽８、試料量検出手段９、制御手段１０、試料供給路１１、均圧管１２及び均圧管１３を有する。擬似移動床式クロマトグラフィー用試料供給装置１は、擬似移動床式分離装置１４に取り付けられる。
【００１３】
試料供給槽２及び試料供給槽３は、擬似移動床式分離装置１４に供給する試料液を貯蔵し、さらに試料液を試料量管理槽８に供給する槽である。
【００１４】
試料供給槽２には、その下部に、その中に貯留された試料液を試料量管理槽８に送液する試料流出路４が設けられ、試料供給槽３には、その下部に、その中に貯留された試料液を試料量管理槽８に送液する試料流出路５が設けられている。
【００１５】
試料供給槽２と試料供給槽３とは、同様の機能を有する槽であり、例えば、試料供給槽２から試料液が試料量管理槽８に送液されている間に、試料供給槽３において次の試料液の貯溜操作が行われ、試料供給槽２からの試料液の供給が終了したときに、試料供給槽３に貯溜されている試料液が試料量管理槽８に送液され、その間に試料供給槽２においてさらに次の試料液の貯溜操作が行われるようにして使用される。なお、この試料供給槽２，３は、既に調製された試料を単に貯留するのみならず、試料を調製するために使用される槽であっても良い。
【００１６】
試料供給槽２及び試料供給槽３は、前記の要件を満たす限りその構造には特に制限はなく、例えば従来の擬似移動床式分離装置の試料供給装置に使用されている試料供給槽と同様の構造であってもよい。また、試料供給槽２と試料供給槽３とは、目的に応じて同じ構造としてもよく、異なる構造としてもよい。試料供給槽２及び試料供給槽３の大きさについても、前記の要件を満たす限り特に制限はなく、両者は同じ大きさでもよく、異なる大きさでもよい。
【００１７】
試料供給槽２及び試料供給槽３には、均圧管１２が設けられている。均圧管１２は、その一端を試料供給槽２の上面部に接続させ、他端を試料供給槽３の上面部に接続させており、試料供給槽２の内部空間と試料供給槽３の内部空間とを連通させている。
【００１８】
さらに均圧管１２には、均圧管１２から分岐する均圧管１３が設けられている。均圧管１３は、均圧管１２に接続する端部とは反対側の端部が試料量管理槽８の上部に接続する。したがって、試料供給槽２、試料供給槽３及び試料量管理槽８のそれぞれの内部空間は、均圧管１２及び均圧管１３によってつながっており、前記各内部空間内の圧力は等しくなっている。
【００１９】
試料流出路４は、その一端が試料供給槽２に接続され、他端が試料量管理槽８に接続された管であり、試料流出路５は、その一端が試料供給槽３に接続され、他端が試料量管理槽８に接続された管である。試料流出路４は、試料供給槽２内の試料液を試料量管理槽８に導く機能を有し、試料流出路５は、試料供給槽３内の試料液を試料量管理槽８に導く機能を有する。
【００２０】
試料流出路４及び試料流出路５は、前記の要件を満たす限りその形状には特に制限はなく、例えば従来の擬似移動床式分離装置の試料供給用に使用されている管と同様の形状であってもよい。また、その直径及び長さも、前記の要件を満たす限り特に制限はなく、目的に応じて適宜決定することができる。
【００２１】
試料流出路４には、その試料供給槽２側に槽底弁１６が設けられ、試料流出路５には、その試料供給槽３側に槽底弁１７が設けられている。槽底弁１６及び槽底弁１７は、遮断弁である。この槽底弁１６及び槽底弁１７は、後述する制御手段により自動制御される。この槽底弁１６及び槽底弁１７は、この試料供給槽２及び３で試料が調製される場合に、試料供給槽２及び３に投入した試料が試料流出路４及び５に流れ込んでしまうことにより部分的に不均一な濃度の試料液が調製されることを防止することを目的として設置される。換言すると、試料供給槽２又は３において試料の調製が行われる期間中は、この槽底弁１６又は１７は常に閉鎖状態となっている。
【００２２】
試料流出路４には、その試料量管理槽８側に、試料流出路開閉手段の一要素であるバルブ６が設けられ、試料流出路５には、その試料量管理槽８側に、試料流出路開閉手段の一要素であるバルブ７が設けられている。
【００２３】
バルブ６は、試料流出路４の流路を開放又は閉塞する手段であり、バルブ６により試料流出路４の流路が開放されると、槽底弁１６が開放状態になっていることと相俟って試料流出路４を通って試料供給槽２から試料量管理槽８に試料液が流出される。このとき、バルブ７は閉鎖状態になっていて試料量管理槽８に流入した試料液が更に試料流出路５に流入するのが阻止される。バルブ６により試料流出路４が閉塞されると、試料供給槽２から試料量管理槽８への試料液の流出は停止される。また、バルブ７は、試料流出路５の流路を開放又は閉塞する手段であり、バルブ７により試料流出路５の流路が開放されると、槽底弁１７が開放状態になっていることと相俟って試料流出路５を通って試料供給槽３から試料量管理槽８に試料液が流出される。このとき、バルブ６は閉鎖状態になっていて試料量管理槽８に流入した試料液が更に試料流出路４に流入するのが阻止される。バルブ７により試料流出路５が閉塞されると、試料供給槽３から試料量管理槽８への試料液の流出は停止される。図１に示される例にあっては、試料流出路開閉手段は、このバルブ６とバルブ７とを含んで形成される。
【００２４】
バルブ６及びバルブ７の前記の開閉動作は、制御手段１０により自動制御されている。
【００２５】
バルブ６、及びバルブ７としては、前記の機能を果たすことができる限り特に制限はなく、例えば、仕切り弁、玉形弁、アングル弁、及びボール弁を挙げることができる。槽底弁１６及び槽底弁１７としては例えばフラッシュ弁を使用することができる。
【００２６】
試料量管理槽８は、試料供給槽２又は試料供給槽３内の試料液の量を管理する槽である。すなわち、試料量管理槽８は、試料供給槽２から試料流出路４によって供給される試料液又は試料供給槽３から試料流出路５によって供給される試料液を収容し、これらを、試料供給路１１を介して擬似移動床分離装置１４に供給するとともに、そのとき試料量管理槽８内に収容されている試料液の量から試料供給槽２又は試料供給槽３内の試料液の量を把握するために設けられている。
【００２７】
試料量管理槽８は、例えば円筒状の容器である。試料量管理槽８には、その側面部に試料流出路４及び試料流出路５が接続され、その底部に擬似移動床分離装置１４につながる試料供給路１１が接続され、さらにその上面部に均圧管１３が接続されている。また、この実施の態様においては、試料量管理槽８は、試料供給槽２及び試料供給槽３よりも低位に設けられている。
【００２８】
前述のように、試料量管理槽８、試料供給槽２、及び試料供給槽３の各内部空間の圧力は、均圧管１２及び均圧管１３の作用によって等しくなっている。したがって、静圧的作用によって、試料量管理槽８及び均圧管１３内に存在している試料液の液面の高さは、試料供給槽２及び試料流出路４内に存在している試料液の液面の高さ、又は試料供給槽３及び試料流出路５内に存在している試料液の液面の高さと等しくすることができる。このことにより、試料供給槽２及び試料流出路４内にある試料液の量、並びに試料供給槽３及び試料流出路５内にある試料液の量は、試料量管理槽８内に収容されている試料液の液面の高さ又は量によって把握することが可能である。すなわち、試料量管理槽８内に収容されている試料液の液面の高さ又は量を検出することにより、試料供給槽２及び試料流出路４内にある試料液の量、並びに試料供給槽３及び試料流出路５内にある試料液の量を管理することができる。
【００２９】
例えば、バルブ６によって試料流出路４が開放され、バルブ７によって試料流出路５が閉塞されている場合には、試料供給槽２から試料流出路４を通って供給された試料液は、試料量管理槽８及び均圧管１３に収容される。このとき、静圧的作用によって、試料供給槽２内における試料液の液面の高さと均圧管１３内における試料液の液面の高さとは等しくなる。試料量管理槽８から試料供給路１１を介して擬似移動床分離装置１４に試料液が供給されると、試料供給槽２及び試料流出路４、並びに試料量管理槽８及び均圧管１３内に収容される試料液の量が減少し、これに伴い試料供給槽２内における試料液の液面と均圧管１３内における試料液の液面とは、その高さを等しくしながら下降してゆく。試料供給槽２内の試料液がなくなると、試料供給槽２及び試料流出路４側の試料液の液面は、試料流出路４内を下降してゆく。
【００３０】
一方、試料供給槽２及び試料流出路４側の試料液の液面は、その高さを、試料流出路４内を下降していく試料液の液面に一致させながら均圧管１３内を下降し、均圧管１３内の試料液がなくなると、図２に示すように、試料液１８の液面１９は、試料量管理槽８内を下降してゆく。したがって、このときの試料量管理槽８内における試料液の液面の高さ又は量を検出することにより、試料流出路４内に残存している試料液の量を把握することができる。
【００３１】
このことにより、擬似移動床式分離装置１４に供給する試料液の切り換え時に、切り換え前の試料液が切り換え後の試料液に混入することによる試料液の汚染の程度をできるだけ小さくすること、及び擬似移動床式分離装置１４に気相が入り込まないように試料液量を管理することが可能になる。
【００３２】
前記試料液の汚染の程度をできるだけ小さくするには、試料供給槽から試料液を供給するときに、試料供給槽２及び試料流出路４並びに試料量管理槽８及び均圧管１３内に残存する試料液の量をできるだけ少なく必要があるが、その一方、前記試料液の全部を擬似移動床式分離装置１４に供給しきってしまうと、それに引き続いて気相が擬似移動床式分離装置１４に混入することが避けられない。そこで、試料量管理槽８内に、試料供給槽２及び試料流出路４並びに試料量管理槽８及び均圧管１３内に残存する試料液の量が、できるだけ少なく、かつ試料流出路４内におけるバルブ６が設けられた位置よりも試料量管理槽８側の部分に気相が入り込むことのないような量であるときに対応する試料量管理槽８内の試料液量（以下「限界試料液量」という）又は試料液の液面の高さ（以下「限界液面高さ」という）を試料量管理槽８に設定し、試料量管理槽８内における試料液の量が、前記限界試料液量に達したときに、又は試料量管理槽８内における試料液の液面高さが、前記限界液面高さに達したときに、バルブ６及びバルブ７を操作するようにする。このことにより、前述のような試料液の管理が可能になる。
【００３３】
このような試料量管理槽８の機能を充分に確保するためには、試料量管理槽８の内径及び高さは所定の大きさの範囲にあることが好ましい。
【００３４】
試料量管理槽８の内径が大きすぎると、試料量管理槽８内に残存する試料液の量が多くなるので、バルブ６及びバルブ７を作動させて試料量管理槽８に供給する試料液を切り換えたときに、試料量管理槽８に残存している試料液が試料量管理槽８に新たに供給した試料液に混入することによる試料液の汚染の程度が大きくなる。試料量管理槽８の内径が小さすぎると、試料量管理槽８内における試料液の液面の下降速度が大きくなるので、その液面の位置を検出することによる試料液量の管理が難しくなり、試料供給槽２又は３内が空であることを検知してからバルブ６又は７の切替を完了するまでのタイムラグによって気相が試料供給路１１に混入する可能性が生じる。
【００３５】
試料量管理槽８の前記機能を充分に確保するための試料量管理槽８の好ましい規模は次のような観点から適宜に決定されることができる。すなわち、試料量管理槽８は、前記汚染の程度小さくするためにできるだけ小さく、かつ後述する試料量検出手段による液面の検出時点からバルブ操作の完了時点までのタイムラグの間に気相が試料供給路１１に混入しないようにするための最小限の容量を有する必要がある。したがって、試料量検出手段により検知される液面から擬似移動床式分離装置までの液流通容積をＶ（Ｌ）とし、試料供給流量をＦ（Ｌ／ｓｅｃ）とし、試料量検出手段による液面検知からバルブ６、７の動作完了までの時間をＴ（ｓｅｃ）とすると、Ｖ＞ＦＴの条件を満たすようにできるだけ小さい容量となるように、試料量管理槽８の規模を設計するのが、好ましい。
【００３６】
なお、試料量管理槽８は、円筒形状であるが、試料量管理槽８の要求される前記要件を満たす限り、その形状には特に制限はなく、例えば角柱形状であってもよい。
【００３７】
試料量検出手段９は、試料量管理槽８に装着されている。試料量検出手段９は、試料量管理槽８内に収容されている試料液の量又は液面高さを測定する装置である。試料量検出手段９によって試料量管理槽８内に収容されている試料液の量を検出することにより、試料量管理槽８についての前記説明で示したように、試料供給槽２及び試料流出路４内にある試料液の量、並びに試料供給槽３及び試料流出路５内にある試料液の量又は液面高さを把握することが可能になる。
【００３８】
試料量検出手段９としては、前記機能を発揮することができる限り特に制限はなく、公知の試料量検出手段を使用することはでき、例えば、試料管理槽内の所定位置にある液面の検知、すなわち気液界面を検出することのできる計器を採用することができ、そのような計器として例えば静電容量式液位計、密度を測定し、出力することのできる質量流量計、誘電率計、光センサー等を採用することができる。また、試料量検出手段９として、試料管理槽内の液面そのものを検知する手段として、圧力式液位計、フロート式液位計等の液位計を採用することができる。これらの中でも、特に静電容量式液位計は、構造が簡単で安価であるという点、稼働部がないので故障が少なくて寿命が長いという点、及び適用可能な液の範囲が広いという点で、好適である。
【００３９】
試料量検出手段９によって試料量管理槽８内に収容されている試料液の液面が検出されると、それに対応する検出信号が制御手段１０に送信される。
【００４０】
制御手段１０は、試料量検出手段９から出力される検出信号に基づいて、バルブ６及びバルブ７の開閉、並びに槽底弁１６及び槽底弁１７の開閉を自動制御する手段である。
【００４１】
具体的には、バルブ６によって試料流出路４が開放され、バルブ７によって試料流出路５が閉塞されていて、試料供給槽２内の試料液が試料流出路４により試料量管理槽８に供給され、さらにこれが試料供給管１１を介して擬似移動床式分離装置１４に供給されている場合には、制御手段１０は次のような制御を行う。
【００４２】
試料量管理槽８内における試料液の量が、前記のように設定した限界試料液量又は限界液面高さに達したことを試料量検出手段９が検知した時に、その検出信号を受けた制御手段１０が、操作信号を槽底弁１６及び槽底弁１７並びにバルブ６及びバルブ７に送信して、バルブ６により試料流出路４の流路を閉じ、バルブ７により試料流出路５を開く。このとき、槽底弁１７が閉鎖状態であるときには、前記制御手段による操作信号により、槽底弁１７は閉鎖状態から開放状態に切り替わる。
【００４３】
バルブ６によって試料流出路４が閉塞され、バルブ７によって試料流出路５が開放されていて、試料供給槽３内の試料液が試料流出路５により試料量管理槽８に供給され、さらにこれが試料供給管１１を介して擬似移動床式分離装置１４に供給されている場合にも、前記と同様にして、試料量管理槽８内における試料液の量が前記限界試料液量又は限界液面高さに達したことを試料量検出手段９が検知した時に、その検出信号を受けた制御手段１０が、操作信号を槽底弁１６及び槽底弁１７並びにバルブ６及びバルブ７に送信して、バルブ７を閉鎖状態に切り替えて試料流出路５の流路を閉じ、バルブ６を開放状態に切り替えて試料流出路４を開く。このとき、槽底弁１６が閉鎖状態であると、前記操作信号により槽底弁１６は閉鎖状態から開放状態に切り替わる。
【００４４】
制御手段１０は、その他外部入力により、適宜に、バルブ６及びバルブ７に信号を送信し、バルブ６及びバルブ７の開閉を制御することもできる。
【００４５】
制御手段１０としては、前記の機能を果たすことができればその方式及び構造等には特に制限はなく、例えば公知の制御手段を使用することができる。
【００４６】
試料供給路１１は、試料量管理槽８と擬似移動床式分離装置１４とを結ぶ流管であり、その一端が試料量管理槽８の底部に接続され、他端が擬似移動床式分離装置１４の試料液流入口に接続されている。バルブ１５は、試料供給路１１に設けられた開閉弁である。
【００４７】
擬似移動床式クロマトグラフィー用試料供給装置１は、以下のように作用する。
【００４８】
制御手段１０から出力される操作信号により、槽底弁１６及び槽底弁１７並びにバルブ６及びバルブ７により試料流出路４及び試料流出路５の流路を閉塞する。試料供給槽２で試料液を調製する。試料液の調製に際し、槽底弁１６及び槽底弁１７が閉鎖状態になっているので、試料流出路４又は試料流出路５内で高濃度の試料が調製されると言った事態の発生が防止される。制御手段１０により槽底弁１６及びバルブ６を操作して、試料流出路４を開放する。試料供給槽２内の試料液は、試料流出路４を通って、試料量管理槽８及び均圧管１３に収容され、その収容された試料液は、試料供給路１１を通って擬似移動床式分離装置１４に供給される。
【００４９】
試料供給槽２内の試料液が擬似移動床式分離装置１４に供給されている間に、試料供給槽３においては、試料供給槽２内の試料液に引き続いて連続的に擬似移動床式分離装置１４に供給される次の試料液が貯溜される。
【００５０】
試料液が擬似移動床分離装置１４に供給されてゆくと、試料供給槽２及び試料流出路４並びに試料量管理槽８及び均圧管１３内に収容された試料液の量が減少してゆく。これに伴い、試料量管理槽８及び均圧管１３側の試料液は、その高さが下降してゆく。試料量管理槽８が試料供給槽２よりも下方に位置する時には、試料供給槽２及び均圧管１３内から試料液が流出し終わると、図２に示したように、試料供給槽２及び試料流出路４側における試料液の液面は試料流出路４内を、試料量管理槽８及び均圧管１３側における試料液の液面は試料量管理槽８内を、それぞれの高さを一致させながら下降する。
【００５１】
前述のように、試料量管理槽８には限界試料液量又は限界液面高さが設定されており、試料量管理槽８内における試料液の量又は液面の高さがその限界試料液量又は限界液面高さに達した時には、そのことが試料量検出手段９により検知され、その検出信号が制御手段１０に送信される。その検出信号を受けた制御手段１０は、操作信号を槽底弁１６及び槽底弁１７並びにバルブ６及びバルブ７に送信して、バルブ６により試料流出路４の流路を閉じ、槽底弁１７及びバルブ７により試料流出路５を開く。
【００５２】
これにより試料供給槽２からの試料液の供給が停止され、試料供給槽３から試料液が試料量管理槽８に供給され、これが擬似移動床式分離装置１４に供給される。この間に、試料供給槽２においては、このとき供給されている試料供給槽３内の試料液に引き続いて連続的に擬似移動床式分離装置１４に供給される次の試料液が貯溜される。試料の調製に際し、制御手段１０からの操作信号により、槽底弁１６が閉鎖される。
【００５３】
試料供給槽３内からの試料液の供給においても、前記と同様にして、試料量管理槽８内における試料液の液面の高さが前記限界試料液量又は限界液面高さに達した時に、そのことが試料量検出手段９により検知され、その検出信号が制御手段１０に送信され、その検出信号を受けた制御手段１０は、操作信号を槽底弁１６及び槽底弁１７並びにバルブ６及びバルブ７に送信して、バルブ７により試料流出路５を閉じ、槽底弁１６及びバルブ６により試料流出路４の流路を開ける。
【００５４】
以上の操作を繰り返すことにより、擬似移動床式クロマトグラフィー用試料供給装置１による連続的な擬似移動床式分離装置１４への試料の供給が可能である。
【００５５】
試料量管理槽を使用せずに、試料供給槽を擬似移動床式分離装置１４に直接流管によって接続する従来の擬似移動床式クロマトグラフィー用試料供給装置においては、前記流管の内径は通常小さいので、前記流管内を流通する試料液の線速度が大きい。したがって、試料供給槽内の試料液を供給し終わり、試料液の液面が前記流管内を移動しているときに、その試料液の量を管理するのは困難である。このため、従来の擬似移動床式クロマトグラフィー用試料供給装置では、前記流管に設けられたバルブを操作して前記流管内における試料液の流通を停止させる前に、前記試料液の液面が前記バルブを通過してしまい、その結果、擬似移動床式分離装置に気相が混入する危険性が大きい。
【００５６】
また、このような従来の擬似移動床式クロマトグラフィー用試料供給装置において、試料液の液面が試料供給槽内にある間にバルブ操作をして試料液の切り換えを行うと、残存する試料液の量を管理するのは容易であるが、試料供給槽の内径が大きいので、バルブの切り換えを行った時点において試料供給槽内に残存する試料液の量が多く、このため次の試料液をその試料供給槽内で調製するときに、その試料液に前記残存する試料液が混入することによる試料液の汚染の程度が大きくなる。
【００５７】
これに対し、擬似移動床式クロマトグラフィー用試料供給装置１においては、試料供給槽２及び試料供給槽３と擬似移動床式分離装置１４との間に試料量管理槽８が設けられている。試料量管理槽８の内径は、その中を降下する試料液の液面の速度を管理することが可能な大きさに設定されている。このため、擬似移動床式クロマトグラフィー用試料供給装置１では、試料量管理槽８における試料液の量又は液面の高さを検出することが容易である。この液面の高さから試料液の残存量を把握することが可能である。したがって、擬似移動床式クロマトグラフィー用試料供給装置１においては、試料量管理槽８に前述のように限界試料液量又は限界液面高さを設定し、試料量管理槽８における試料液の量が前記限界試料液量に達した時点又は試料量管理槽８における試料液の液面の高さが前記限界液面高さに達した時点でバルブ６及びバルブ７の開閉操作を行うことにより、気相が擬似移動床式分離装置１４内に流入するのを確実に防止することができる。
【００５８】
また、擬似移動床式クロマトグラフィー用試料供給装置１においては、試料量管理槽８の内径は、その中に残存する試料の量が過大にならない程度の大きさに設定されている。したがって、擬似移動床式クロマトグラフィー用試料供給装置１では、バルブの切り換え時点において、試料供給槽２又は試料供給槽３から供給されて試料量管理槽８内に残存する試料液の量が少ないので、前記のような異種試料液の混入による試料液の汚染の程度を小さくすることができる。
【００５９】
この発明に係る擬似移動床式クロマトグラフィー用試料供給装置は、擬似移動床式クロマトグラフィー用試料供給装置１に制限されることはなく、この発明の目的を達成することができる範囲内で他の態様を採用することができる。
【００６０】
擬似移動床式クロマトグラフィー用試料供給装置１においては、試料供給槽は２個設けられているが、この発明に係る擬似移動床式クロマトグラフィー用試料供給装置においては、試料供給槽は３個以上設けられていてもよい。この場合にも、擬似移動床式クロマトグラフィー用試料供給装置１と同様に、各試料供給槽を試料流出管により試料量管理槽に接続することができ、また各試料供給槽内の内部空間を連通させる均圧管を各試料供給槽に設置することもできる。
【００６１】
試料量管理槽１は、静圧的作用を利用して試料供給槽から供給される試料液の量を管理するが、この発明に係る擬似移動床式クロマトグラフィー用試料供給装置における試料量管理槽は、収容している試料の量が試料供給槽から供給される試料の量に応じて変動し、その収容している試料の量を前記試料量検出手段によって検出することができれば特に制限はなく、静圧的作用を利用した方式以外の方式であってもかまわない。
【００６２】
試料流出路開閉手段は、図１に示されるように、試料流出路毎に設けられたバルブの組合せである必要はなく、前記複数の試料流出路の内の１つの試料流出路だけが前記試料量管理槽に対して開放状態となり他の試料流出路はいずれも前記試料量管理槽に対して閉鎖状態となるように流路の開閉状態を実現することができるのであれば、１つのロータリーバルブを使用してなる試料流出路開閉手段、三方切り替え弁を１つ又は複数用いて形成されて成る試料流出路開閉手段等を挙げることができる。
【００６３】
【発明の効果】
この発明に係る擬似移動床式クロマトグラフィー用試料供給装置は、試料量管理槽を有することにより、気相が擬似移動床式分離装置内に流入するのを確実に防止しながら、試料液の連続供給をすることができる。
【００６４】
この発明に係る擬似移動床式クロマトグラフィー用試料供給装置は、試料量管理槽を有することにより、試料液の切り換え時点において、残存する試料液が次に供給される試料液に混入することによる試料液の汚染の程度を小さくすることができる。このことにより、この発明に係る擬似移動床式クロマトグラフィー用試料供給装置は、原料ロットの製造履歴を明確にすることができるので、ＧＭＰに基づいた厳しい製造管理が求められる原薬又は重要医薬中間体等の化学物質の製造において好適に使用することができる。
【図面の簡単な説明】
【図１】図１は、擬似移動床式クロマトグラフィー用試料供給装置１の概略説明図である。
【図２】図２は、試料供給槽２から試料液を供給しているときの、試料液の状態を示す擬似移動床式クロマトグラフィー用試料供給装置１の概略断面説明図である。
【符号の説明】
１・・擬似移動床式クロマトグラフィー用試料供給装置、２・・試料供給槽、３・・試料供給槽、４・・試料流出路、５・・試料流出路、６・・バルブ、７・・バルブ、８・・試料量管理槽、９・・試料量検出手段、１０・・制御手段、１１・・試料供給路、１２・・均圧管、１３・・均圧管、１４・・擬似移動床式分離装置、１５・・バルブ、１６・・槽底弁、１７・・槽底弁、１８・・試料液、１９・・液面
【図１】
0003693324.tif 000002
【図２】
0003693324.tif 000003